(57)【特許請求の範囲】
【請求項１】
２本のケーブル端末部の導体端部を両端部で接続するケーブル導体接続管と、前記ケーブル端末部及び前記ケーブル導体接続管の外周を覆いながら囲繞するゴムブロック絶縁体とを、備える電力ケーブル接続部であって、
前記ケーブル導体接続管は、前記各導体端部を圧縮して接続する１対の圧縮部と、
前記各圧縮部の間の中央部に設けられ、ケーブルの軸線方向における長さが前記１対の圧縮部の前記軸線方向の長さの合計よりも長い非圧縮部とで形成され、
前記ゴムブロック絶縁体の内部半導電層の前記軸線方向の長さは、前記ケーブル導体接続管の非圧縮部の長さに対応する寸法により形成されていることを特徴とする電力ケーブル用接続部。
【請求項２】
前記ケーブル導体接続管と前記ゴムブロック絶縁体とを覆いながら収容する保護管を備え、当該保護管は、３分割以上の多分割構造を有していることを特徴とする請求項１に記載の電力ケーブル用接続部。
【発明の詳細な説明】
【技術分野】
【０００１】
本発明は、電力ケーブル用接続部に関し、特に地中送電用の電力ケーブル同士を接続する場合に、ケーブル同士の再接続やケーブルオフセット部の再構築などの改修作業を容易に行うことができる電力ケーブル用接続部に関するものである。
【背景技術】
【０００２】
地中に布設された既設電力ケーブルの中間接続部においては、経年により絶縁性能が低下した場合、接続部材を修理あるいは新品に取り替えるなど必要に応じて改修作業が行われる。また、絶縁破壊事故が発生した場合には、ケーブル端末部を含めてその接続部材の絶縁破壊箇所を除去し、新規に中間接続部を接続する等の改修作業を行い早期に送電線路を復旧する必要がある。
【０００３】
また、電力ケーブルの既設線路には、布設されているケーブル全体の伸縮挙動を吸収することができるようにケーブルをスネーク状にしている（滑らかに蛇行された態様にした）余長部のケーブルオフセット部が線路全体のマンホール内に設けられている。このようなケーブルオフセット部では、ケーブルの経年布設によって伸縮作用が働き、管路間でのケーブルの長手方向の移動等によりケーブルオフセット部がなくなってケーブル全体が直線状にピーンと緊張してしまった場合には、ケーブルオフセット部を再構築する必要がある。
【０００４】
２本の電力ケーブル同士を接続する中間接続部の従来技術としては、例えば特許文献１に開示されたケーブル接続部がある。図３は、この従来のケーブル１０９，１１０のケーブル用接続部１１１において、ケーブル導体１０９ａ，１１０ａの端部同士を接続するケーブル導体接続管２０とゴムブロック絶縁体３０との構造を示す断面図である（ケーブル中心軸線の下半分を図示略）。この従来のケーブル用接続部１１１によると、ケーブル導体接続管２０は、中央部の非圧縮部２０ａと、非圧縮部２０ａの両端部でケーブル導体１１０ａを嵌挿させる圧縮部２０ｂとを備えて構成され、接続方向（ケーブルの軸線方向）における非圧縮部２０ａの長さは、圧縮部２０ｂよりも短く形成されている。具体的な寸法としては、圧縮部２０ｂの長さが４０〜６０ｍｍであるのに対し、非圧縮部２０ａの長さが８ｍｍと短い。また、ゴムブロック絶縁体３０は、ケーブル導体接続管２０とケーブル１０９，１１０のケーブル端末部１０９Ａ，１１０Ａとの外周を覆いながら囲繞するように形成されている。さらに、図示しない保護管は、ゴムブロック絶縁体３及びケーブル端末部１０９Ａ，１１０Ａのケーブル１０９，１００側両端部の外周を覆いながら、これらを収容するように形成されており、２分割の構造に形成されている。
【先行技術文献】
【特許文献】
【０００５】
【特許文献１】特開平２００２−１０４６４号公報
【発明の概要】
【発明が解決しようとする課題】
【０００６】
しかしながら、従来の非圧縮部２０ａの長さの短い寸法のケーブル導体接続管２０からなる電力ケーブル用の中間接続部１１１では、絶縁性能が低下した接続部の改修、または絶縁破壊事故が発生した接続部を改修するときは、既設のケーブル端末部１０９Ａ，１１０Ａの部分を切断して、除去されるが、そのときケーブル端末部１０９Ａ，１１０Ａは多少長めに切断される。そして切断したケーブル端末部１０９Ａ，１１０Ａを補充する手段として、上記で述べたような長さの制限されたスネーク形状のケーブルオフセット部を用いたり、または管路内に移動した部分を利用するために管路からケーブルを引き出して用いたり、あるいはケーブルオフセット部と引き出したケーブルとの両方を用いたりすることが考えられるが、管路からケーブルを引き出すことは、通常不可能である。
【０００７】
しかるに、上記ケーブル端末部１０９Ａ，１１０Ａの切断された部分の長さをケーブルオフセット部の長さによって補充できる場合はよいが、その切断された部分の寸法の方がケーブルオフセット部の寸法よりも常に長くなってしまう。そのためケーブルオフセット部での吸収は不可能となり、さらにこの不足分をケーブル導体接続管２０で補おうとするとケーブル導体接続管２０が元々短い寸法であることから不足分全体をカバーすることができず再接続による改修はできなかった。
【０００８】
また、中間接続部を再接続するのに必要な長さのケーブルオフセット部に余裕がなくてそのまま使用し、管路内に移動した部分が少なくケーブル１０９，１１０を管路内からマンホール内に引き出すことができない場合には、布設されていた管路内の既設ケーブル１０９，１１０を取り除いて撤去し、新規ケーブルに張り替えなければならない工事を伴うという問題もある
【０００９】
さらに、従来の電力ケーブル用中間接続部の保護管は２分割構造であるため、狭いマンホール内でケーブル１０９，１１０の再接続作業または再接続作業とケーブルオフセット部の再構築作業を同時にする場合において、その接続部の組み立て工程は、初めにゴムブロック絶縁体３０とそのゴムブロック絶縁体３０の外周に設ける保護管とをケーブル１０９，１１０に挿入後、一旦ケーブルオフセット部手前の直線部まで退避させる。そして、ケーブル導体１０９ａ，１１０ａ同士を接続してケーブル導体接続管２０を形成する。さらにケーブルオフセット部手前の直線部まで退避していたゴムブロック絶縁体３０と保護管とをケーブル導体接続管２０の真ん中にくるように戻し、その外周にゴムブロック絶縁体３０と保護管とを設けます。上記工程のケーブルオフセット部へ一時退避させる保護管は、２分割であるがゆえに、１つの構成部材が長尺となるため、ケーブルオフセット部より後方に保護管を逃がす必要がある場合、保護管がケーブルオフセット部の曲がり部に当たってしまうことになり、ケーブルオフセット部より後方に逃がせなく、接続部の再接続作業を阻害し効率よく行えないという問題があった。
【００１０】
さらに、既設ケーブル１０９，１１０の切断、除去した分の不足分の長さを補うために、短い新規ケーブルを布設した場合、既設中間接続部の他に、もう一箇所中間接続部を割り入れる割入れ作業が必要となり、改修作業に非常に時間が掛かるという問題もある。また、マンホールの大きさの制約から、短いケーブルを割りいれることができない場合が大半である。
【００１１】
従って、本発明の目的は、地中に布設された電力ケーブル用接続部を改修するに際し、既設ケーブルを活用して新たなケーブル布設作業を行うことなく、改修作業の容易化及び効率化を図ることができる電力ケーブル用接続部を提供することである。
【課題を解決するための手段】
【００１２】
［１］上記課題を達成するため、本発明は、２本のケーブル端末部の導体端部を両端部で接続するケーブル導体接続管と、前記ケーブル端末部及び前記ケーブル導体接続管の外周を覆いながら囲繞するゴムブロック絶縁体とを、備える電力ケーブル接続部であって、前記ケーブル導体接続管は、前記各導体端部を圧縮して接続する１対の圧縮部と、前記各圧縮部の間の中央部に設けられ、ケーブルの軸線方向における長さが前記１対の圧縮部の前記軸線方向の長さの合計よりも長い非圧縮部とで形成され、前記ゴムブロック絶縁体の内部半導電層の前記軸線方向の長さは、前記ケーブル導体接続管の非圧縮部の長さに対応する寸法により形成されていることを特徴とする電力ケーブル用接続部を提供する。
【００１３】
［２］また、前記ケーブル導体接続管と前記ゴムブロック絶縁体とを覆いながら収容する保護管を備え、当該保護管は、３分割以上の多分割構造を有している。
【発明の効果】
【００１４】
本発明によれば、既設中間接続部を改修する際に、既設ケーブルを活用して新たなケーブル布設作業を行うことなく、改修作業の容易化及び効率化を図ることができる。また、ケーブルオフセット部の再構築を効率よく実施でき、改修作業時間を短縮することができる。
【図面の簡単な説明】
【００１５】
【図１】本発明の実施の形態に係る電力ケーブル用接続部を示す一部断面図である。
【図２】図１の本発明に係る電力ケーブル用接続部を構成するケーブル導体接続管、ゴムブロック絶縁体の部分を中心に拡大して示す断面図である。
【図３】従来技術によるケーブル接続部のケーブル導体接続管、ゴムブロック絶縁体の構造を示す断面図である。
【発明を実施するための形態】
【００１６】
本発明の好適な実施の形態について図面を参照しながら詳細に説明する。
【００１７】
図１は、本発明の実施の形態による電力ケーブル用接続部１の一部断面図であり、ケーブル中心軸線から上半分のみの断面内部構造を示している。また、図２は、図１におけるケーブル導体接続管とゴムブロック絶縁体の部分を中心に拡大して示す断面図である。なお、図２においては、ケーブル中心軸線から上半分の断面のみが示され、その下半分が省略されている。
【００１８】
送電線路内に布設される２本の電力ケーブル１１，１２同士をマンホール内で中間接続する電力ケーブル用接続部１は、ケーブル導体接続管２と、ゴムブロック絶縁体３と、防水コンパウンド４と、保護管５（５ａ〜５ｄ）とを備えて概ね構成されている。電力ケーブル１１，１２のケーブル端末部１１Ａ，１２Ｂは、中心部のケーブル導体１１ａ，１２ａを、ケーブル絶縁体１１ｂ，１２ｂ、ケーブル外部半導電層１１ｃ，１２ｃ及びケーブル遮蔽層１１ｄ，１２ｄの各端部が順次段剥ぎ露出され、これらの構成からなる。
【００１９】
（ケーブル導体接続管２の構成）
ケーブル導体接続管２は、図２に示されるように、細長い円柱状の導電金属部材からなり、両端部にケーブル導体１１ａ，１２ａを嵌挿させる有底の嵌挿孔２ｄ，２ｅが形成されている。この嵌挿孔２ｄ，２ｅが形成された両端部分が圧縮部２ｂ，２ｃとなっており、両圧縮部２ｂ，２ｃの間の中央部である導体部分が非圧縮部２ａとなっている。電力ケーブル１１，１２のケーブル導体１１ａ，１２ａの端部は、嵌挿孔２ｄ，２ｅにそれぞれ嵌挿、非圧縮部２ａに当接される。さらにその圧縮部２ｂ，２ｃを外部から圧縮することにより、ケーブル導体接続管２に圧着されている。
【００２０】
本発明の実施の形態では、ケーブル導体接続管２の非圧縮部２ａの接続方向（ケーブルの軸線方向）における長さＬｃを圧縮部２ｂの接続方向の長さＬｔよりも長く、全長を従来の導体接続管よりも２５０ｍｍ〜３５０ｍｍ程度長くしている。たとえば、導体サイズが４００ｍｍ２のケーブルに用いる場合、非圧縮部２ａの長さＬｃを２８８ｍｍ、圧縮前の圧縮部２ｂ，２ｃの長さＬｔを４１ｍｍとし、導体サイズが６００ｍｍ２のケーブルの場合には、非圧縮部２ａの長さＬｃを３２８ｍｍ、圧縮前の圧縮部２ｂ，２ｃの長さＬｔを５４ｍｍとしている。
【００２１】
（ゴムブロック絶縁体３の構成）
ゴムブロック絶縁体３は、中空円筒状を有しており、内側から内部半導電層３ａ、絶縁性のゴムからなるゴム絶縁層３ｂ、外部半導電層３ｃが順に績層して形成されている。ゴムブロック絶縁体３は、ケーブル導体１１ａ，１２ａを接続したケーブル導体接続管２及びケーブル端末部１１Ａ，１２Ｂとの外周を覆いながら、それら全体を囲繞するように形成されている。そして、図示しない拡径治具を用いて拡径され、ケーブル導体接続管２とケーブル端末部１１Ａ，１２Ｂが差し込み装着される。
【００２２】
また、ケーブル導体接続管２の外周面には、ケーブル絶縁体１１ｂ，１２ｂの外径と同じ寸法になるように図示しない半導電性テープが巻回され、ゴムブロック絶縁体３の内部半導電層３ａと密接に接触している。さらに、ケーブル外部半導電層１１ｃ，１２ｃにゴムブロック絶縁体３の外部半導電層３ｃが常に密接に接触するように形成される。
【００２３】
また、ケーブル導体接続管２は、その非圧縮部２ａの長さを従来のものよりも長い寸法となるように形成したことに伴い、ゴムブロック絶縁体３も全体が従来よりも２５０ｍｍ〜３５０ｍｍ程度長く形成される。すなわち、ケーブルの軸線方向に延伸化されたケーブル導体接続管２の非圧縮部２ａの長さに応じるようにゴムブロック絶縁体３はその構成する１つの層の長さを一致させるものである。そして、一致させるゴムブロック絶縁体３の１つの層は、内側にあって中央部に位置する内部半導電層３ａであり、ケーブル導体接続管２の非圧縮部２ａに対応する長さで概ね同じ寸法長く形成される。このため、ゴムブロック絶縁体３の全長に対して、内部半導電層３ａの全長が占める割合は、従来の約４０％に比べて、約６０％と大きくなっている。
【００２４】
（保護管５の構成）
保護管５は、金属層と防食層からなる２層構造の筒体によって形成されており、ゴムブロック絶縁体３及びケーブル端末部１１Ａ，１２Ｂの電力ケーブル１１側両端部の外周を取り囲むように覆いながら、これらを収容するように設けられる。保護管５（５ａ〜５ｄ）は、図１に示されるように４分割構造となっており、それぞれ分割された構成部材が保護管接続用のビス６ａ，６ｂ，６ｃで接続されている。保護管５とゴムブロック絶縁体３との間には、水密性を維持するための防水コンパウンド４が充填されている。
【００２５】
ケーブル導体接続管２及びゴムブロック絶縁体３を従来のものよりも長く形成したのに伴い、保護管５も従来よりも長く形成されている。また、保護管５（５ａ〜５ｄ）を４分割の多分割構造としたことも本発明の実施の形態の特徴としてある。
【００２６】
（実施の形態による効果）
以上説明した実施の形態によれば、次に示す効果が得られる。
【００２７】
（１）地中に布設された電力ケーブル１１、１２用接続部１を改修するに際し、既設のケーブル１１，１２を活用することが可能となり、新たなケーブル布設作業を行わなくてもよい。これにより、狭いマンホール内でのケーブルの引き回し作業、ケーブルオフセット部の再構築作業、及び接続部の再接続作業などの各種作業または新規ケーブルの張り替工事が不要となり、改修作業の容易化及び効率化を図ることができる、
【００２８】
（２）また、既設の電力ケーブル１１、１２のケーブルオフセット部の再構築を効率よく実施でき、各ケーブル間に設けられる電力ケーブル用接続部１の改修作業時間を短縮することができる。
【００２９】
（３）また、ケーブル導体接続管２全体を従来のものよりも２５０ｍｍ〜３５０ｍｍ程度、寸法を長くしたことにより、既設の電力ケーブル用接続部１を改修する際に必要となる、ケーブル再処理寸法を確保することができる。また、ケーブル導体接続管２においては、非圧縮部２ａのみの寸法を従来品よりも長くし、圧縮部２ｃ，２ｃの寸法や構造等には変更を加えないことにより、圧縮作業における施工性や機械的強度（引張強度等）が従来と同等程度に維持される。
【００３０】
(４)また、ゴムブロック絶縁体３においては、内部半導電層３ａのみをケーブル導体接続管２の非圧縮部２ａに対応して２５０ｍｍ〜３５０ｍｍ程度寸法を長くし、電界が集中する外部半導電層３ｃ及びゴム絶縁層３ｂの寸法や構造等には変更を加えないことにより、従来品と同等の電気的性能が維持される。
【００３１】
(５)また、保護管５を従来の２分割構造から４分割の多分割構造としたことにより、１つの構成部材の長さが逆に短くなり、電力ケーブル用接続部１の組み立て時において、保護管５をケーブルオフセット部の曲がり部より後方まで退避させることができる。よって、その接続部の再接続作業を効率よく行うことができる。
【００３２】
なお、本発明は上記実施の形態に限定されず、発明の要旨を逸脱しない範囲内で種々な変形が可能である。例えば、上記実施の形態では、保護管を４分割としたが、３分割あるいは５分割以上でもよい。
【符号の説明】
【００３３】
１…電力ケーブル用接続部、２…ケーブル導体接続管、２ａ…非圧縮部、２ｂ，２ｃ…圧縮部、２ｄ，２ｅ…嵌挿孔、３…ゴムブロック絶縁体、３ａ…内部半導電層、３ｂ…ゴム絶縁層、３ｃ…外部半導電層、４…防水コンパウンド、５，５ａ〜５ｄ…保護管、６ａ〜６ｃ…ビス、１１，１２…電力ケーブル、１１ａ，１２ａ…ケーブル導体、１１ｂ，１２ｂ…ケーブル絶縁体、１１ｃ，１２ｃ…ケーブル外部半導電層、１１ｄ，１２ｄ…ケーブル遮蔽層、ケーブル端末部１１Ａ，１２Ｂ、２０…ケーブル導体接続管、２０ａ…非圧縮部、２０ｂ…圧縮部、３０…ゴムブロック絶縁体、１１１…ケーブル用接続部、１０９，１１０…ケーブル
【図１】
0005704683.tif 000002
【図２】
0005704683.tif 000003
【図３】
0005704683.tif 000004